【手続補正書】
【提出日】平成17年8月19日(2005.8.19)
【手続補正１】
【補正対象書類名】特許請求の範囲
【補正対象項目名】全文
【補正方法】変更
【補正の内容】
【特許請求の範囲】
【請求項１】
電気化学的電池を形成する方法であって、前記方法は、負電極層と正電極層を相互に接触させるステップを含み、そして、前記接触は負電極層における電解質溶液中の成分と正電極層における電解質溶液中の成分とを相互作用させ及び／又は相互に反応させかつ前記負電極と正電極の間の電解質層内に界面セパレーター層を自己形成させる電気化学的電池を形成する方法。
【請求項２】
前記負電極層における電解質溶液と前記正電極層における電解質溶液は、前記電気化学的電池が前記電極層を総じて湿った状態に保つのに充分な潮解性を有していて、且つ、前記電極層の間でイオン伝導度を得るのに充分な電気的な活性を有するように選択される請求項１に記載の方法。
【請求項３】
前記界面セパレーター層は、ポリマー沈殿物またはゲルを含む請求項１に記載の方法。
【請求項４】
前記界面セパレーター層は、物理的な相互作用を介して自己形成される請求項１に記載の方法。
【請求項５】
前記物理的な相互作用が前記電極層の間にポリマー沈殿物またはゲルの形成をもたらす請求項４に記載の方法。
【請求項６】
前記界面セパレーター層は、化学的な反応を介して自己形成される請求項１に記載の方法。
【請求項７】
前記化学的な反応が前記電極層の間にポリマー沈殿物またはゲルの形成をもたらす請求項６に記載の方法。
【請求項８】
前記界面セパレーター層は、少なくとも１つのポリマーと少なくとも１つのポリマー沈殿剤との間で生じる物理的な相互作用を介して自己形成される請求項１に記載の方法。
【請求項９】
前記界面セパレーター層は、少なくとも１つのポリマーと少なくとも１つの静電的な架橋剤との間で生じる物理的な相互作用を介して自己形成される請求項１に記載の方法。
【請求項１０】
前記界面セパレーター層は、少なくとも２つのポリマーの間で生じる物理的な相互作用を介して自己形成される請求項１に記載の方法。
【請求項１１】
前記少なくとも２つのポリマーの間で生じる前記物理的な相互作用は、静電的な相互作用及び非静電的な相互作用からなるグループから選択される請求項１０に記載の方法。
【請求項１２】
前記非静電的な相互作用は、水素結合相互作用及びファンデルワールス相互作用からなるグループから選択される請求項１１に記載の方法。
【請求項１３】
前記界面セパレーター層は、少なくとも２つのポリマーと少なくとも１つの活性化剤との間で生じる物理的な相互作用を介して自己形成される請求項１に記載の方法。
【請求項１４】
前記少なくとも１つの活性化剤は、塩化亜鉛及びＨ３Ｏ＋イオンからなるグループから選択される請求項１３に記載の方法。
【請求項１５】
前記界面セパレーター層は、少なくとも１つの重合可能な単位と少なくとも１つの重合活性化剤との間で生じる化学的な反応を介して自己形成される請求項１に記載の方法。
【請求項１６】
前記電極層のうちの少なくとも１つは、潮解性であると共に電気的に活性でもある材料を含む請求項１に記載の方法。
【請求項１７】
前記材料は塩化亜鉛を含む請求項１６に記載の方法。
【請求項１８】
前記正電極層は二酸化マンガン粉末を含み、そして、前記負電極層は亜鉛粉末を含む請求項１に記載の方法。
【請求項１９】
前記負電極層は炭素粉末を更に含む請求項１８に記載の方法。
【請求項２０】
前記正電極層は炭素粉末を更に含む請求項１８に記載の方法。
【請求項２１】
前記少なくとも１つのポリマーはポリ（ビニルピロリドン）（ＰＶＰ）を含む請求項８に記載の方法。
【請求項２２】
前記少なくとも１つのポリマー沈殿剤は塩化亜鉛を含む請求項８に記載の方法。
【請求項２３】
前記少なくとも１つのポリマー沈殿剤は塩化亜鉛を含む請求項２１に記載の方法。
【請求項２４】
前記少なくとも１つのポリマーは少なくとも１つの多糖を含む請求項８に記載の方法。
【請求項２５】
前記少なくとも１つのポリマー沈殿剤は塩化亜鉛を含む請求項２４に記載の方法。
【請求項２６】
前記少なくとも１つの多糖はキトサンを含む請求項２４に記載の方法。
【請求項２７】
前記少なくとも１つのポリマーは少なくとも１つの多糖を含む請求項９に記載の方法。
【請求項２８】
前記少なくとも１つの多糖は少なくとも１つのカルボキシル化多糖を含む請求項２７に記載の方法。
【請求項２９】
前記少なくとも１つの多糖はアルギン酸ナトリウムを含む請求項２７に記載の方法。
【請求項３０】
前記少なくとも１つの多糖はペクチンを含む請求項２７に記載の方法。
【請求項３１】
前記少なくとも１つの静電的な架橋剤は塩化亜鉛を含む請求項９に記載の方法。
【請求項３２】
前記少なくとも１つの静電的な架橋剤は塩化亜鉛を含む請求項２７に記載の方法。
【請求項３３】
前記少なくとも２つのポリマーのうちの少なくとも１つはポリ（アクリル酸）である請求項１０に記載の方法。
【請求項３４】
前記少なくとも２つのポリマーのうちの少なくとも１つは、ＰＶＰ、ポリ（ビニルアルコール）、ポリ（エチレンオキシド）、及びポリ（エチルオキサゾリン）（ＰＥＯｘ）からなるグループから選択されるポリマーである請求項３３に記載の方法。
【請求項３５】
前記少なくとも２つのポリマーのうちの少なくとも１つはポリ（アクリル酸）及び部分的に中和されたポリ（アクリル酸）からなるグループから選択されるポリマーである請求項１３に記載の方法。
【請求項３６】
前記少なくとも１つの活性化剤は、塩化亜鉛及びＨ３Ｏ＋イオンからなるグループから選択される請求項３５に記載の方法。
【請求項３７】
前記電極層のうち少なくとも１つと電気的に接触した状態で少なくとも１つの端子を供給することを更に含む請求項１に記載の方法。
【請求項３８】
印刷技術を介して少なくとも１つの端子を少なくとも１つの電極層に付与することを更に含み、前記端子が前記電極層と電気的に接触する請求項１に記載の方法。
【請求項３９】
負電極層、正電極層、及び電解質層内で前記電極層の間に介在する界面セパレーター層であって一体的にかつその場で形成された界面セパレーター層を含む電気化学的電池であって、前記一体的にかつその場で形成された界面セパレーター層は負電極層における電解質溶液中の成分と正電極層における電解質溶液中の成分との相互作用及び／又は反応生成物からなり、別個の追加のセパレーターが存在しない電気化学的電池。
【請求項４０】
少なくとも前記負電極層における電解質溶液と前記正電極層における電解質溶液は、前記電気化学的電池が前記層を総じて湿った状態に保つのに充分な潮解性を有していて、且つ、前記電極層の間でイオン伝導度を得るのに充分な電気的な活性を有するように選択される請求項３９に記載の電池。
【請求項４１】
前記界面セパレーター層は、ポリマー沈殿物またはゲルを含む請求項３９に記載の電池。
【請求項４２】
前記界面セパレーター層は、物理的な相互作用を介して自己形成される請求項３９に記載の電池。
【請求項４３】
前記物理的な相互作用が前記電極層の間にポリマー沈殿物またはゲルの形成をもたらす請求項４２に記載の電池。
【請求項４４】
前記界面セパレーター層は、化学的な反応を介して自己形成される請求項３９に記載の電池。
【請求項４５】
前記化学的な反応が前記電極層の間にポリマー沈殿物またはゲルの形成をもたらす請求項４４に記載の電池。
【請求項４６】
前記界面セパレーター層は、少なくとも１つのポリマーと少なくとも１つのポリマー沈殿剤との間で生じる物理的な相互作用を介して自己形成される請求項３９に記載の電池。
【請求項４７】
前記界面セパレーター層は、少なくとも１つのポリマーと少なくとも１つの静電的な架橋剤との間で生じる物理的な相互作用を介して自己形成される請求項３９に記載の電池。
【請求項４８】
前記界面セパレーター層は、少なくとも２つのポリマーの間で生じる物理的な相互作用を介して自己形成される請求項３９に記載の電池。
【請求項４９】
前記少なくとも２つのポリマーの間で生じる前記物理的な相互作用は、静電的な相互作用及び非静電的な相互作用からなるグループから選択される請求項４８に記載の電池。
【請求項５０】
前記非静電的な相互作用は、水素結合相互作用及びファンデルワールス相互作用からなるグループから選択される請求項４９に記載の電池。
【請求項５１】
前記界面セパレーター層は、少なくとも２つのポリマーと少なくとも１つの活性化剤との間で生じる物理的な相互作用を介して自己形成される請求項３９に記載の電池。
【請求項５２】
前記少なくとも１つの活性化剤は、塩化亜鉛及びＨ３Ｏ＋イオンからなるグループから選択される請求項５１に記載の電池。
【請求項５３】
前記界面セパレーター層は、少なくとも１つの重合可能な単位と少なくとも１つの重合活性化剤との間で生じる化学的な反応を介して自己形成される請求項３９に記載の電池。
【請求項５４】
前記電極層のうちの少なくとも１つは、潮解性であると共に電気的に活性でもある材料を含む請求項３９に記載の電池。
【請求項５５】
前記材料は塩化亜鉛を含む請求項５４に記載の電池。
【請求項５６】
前記正電極層は二酸化マンガン粉末を含み、そして、前記負電極層は亜鉛粉末を含む請求項３９に記載の電池。
【請求項５７】
前記負電極層は炭素粉末を更に含む請求項５６に記載の電池。
【請求項５８】
前記正電極層は炭素粉末を更に含む請求項５６に記載の電池。
【請求項５９】
前記少なくとも１つのポリマーはポリ（ビニルピロリドン）（ＰＶＰ）を含む請求項４６に記載の電池。
【請求項６０】
前記少なくとも１つのポリマー沈殿剤は塩化亜鉛を含む請求項４６に記載の電池。
【請求項６１】
前記少なくとも１つのポリマー沈殿剤は塩化亜鉛を含む請求項５９に記載の電池。
【請求項６２】
前記少なくとも１つのポリマーは少なくとも１つの多糖を含む請求項４６に記載の電池。
【請求項６３】
前記少なくとも１つのポリマー沈殿剤は塩化亜鉛を含む請求項６２に記載の電池。
【請求項６４】
前記少なくとも１つの多糖はキトサンを含む請求項６２に記載の電池。
【請求項６５】
前記少なくとも１つのポリマーは少なくとも１つの多糖を含む請求項４７に記載の電池。
【請求項６６】
前記少なくとも１つの多糖は少なくとも１つのカルボキシル化多糖を含む請求項６５に記載の電池。
【請求項６７】
前記少なくとも１つの多糖はアルギン酸ナトリウムを含む請求項６５に記載の電池。
【請求項６８】
前記少なくとも１つの多糖はペクチンを含む請求項６５に記載の電池。
【請求項６９】
前記少なくとも１つの静電的な架橋剤は塩化亜鉛を含む請求項４７に記載の電池。
【請求項７０】
前記少なくとも１つの静電的な架橋剤は塩化亜鉛を含む請求項６５に記載の電池。
【請求項７１】
前記少なくとも２つのポリマーのうちの少なくとも１つはポリ（アクリル酸）である請求項４８に記載の電池。
【請求項７２】
前記少なくとも２つのポリマーのうちの少なくとも１つは、ＰＶＰ、ポリ（ビニルアルコール）、ポリ（エチレンオキシド）、及びポリ（エチルオキサゾリン）（ＰＥＯｘ）からなるグループから選択されるポリマーである請求項７１に記載の電池。
【請求項７３】
前記少なくとも２つのポリマーのうちの少なくとも１つはポリ（アクリル酸）及び部分的に中和されたポリ（アクリル酸）からなるグループから選択されるポリマーである請求項５１に記載の電池。
【請求項７４】
前記少なくとも１つの活性化剤は、塩化亜鉛及びＨ３Ｏ＋イオンからなるグループから選択される請求項７３に記載の電池。
【請求項７５】
前記電極層のうち少なくとも１つと電気的に接触した状態で少なくとも１つの端子を更に含む請求項３９に記載の電池。
【請求項７６】
負電極層における前記電解質溶液と正電極層における前記電解質溶液が水性電解質からなる請求項１に記載の方法。
【請求項７７】
別個の追加のセパレーターが存在しない請求項１に記載の方法。
【請求項７８】
前記負電極層の前記電解質溶液が前記正電極層の前記電解質溶液と異なる請求項１に記載の方法。
【請求項７９】
前記負電極層の前記電解質溶液と前記正電極層の前記電解質溶液が接触前に第一の物理的状態にありかつ接触後に第二の物理的状態にあり、前記第一及び第二の物理的状態が同一ではないか、又は前記第二の状態が物理的状態の混合を含む請求項１に記載の方法。
【請求項８０】
前記界面セパレーター層がゲルとして又はポリマー沈殿物として自己形成する請求項１に記載の方法。
【請求項８１】
負電極における前記電解質溶液と正電極における前記電解質溶液が電解質水溶液からなる請求項３９に記載の電池。
【請求項８２】
前記負電極層の前記電解質溶液が前記正電極層の前記電解質溶液と異なる請求項３９に記載の電池。
【請求項８３】
前記負電極層の前記電解質溶液と前記正電極層の前記電解質溶液が接触前に第一の状態にあり、接触後に第二の状態にあり、前記第一及び第二の状態が同一ではないか、又は前記第二の状態が少なくとも前記第一の状態と前記第二の状態の混合である請求項３９に記載の電池。
【請求項８４】
前記界面セパレーター層がゲルとして又はポリマー沈殿物としてその場で形成された請求項３９に記載の電池。
【請求項８５】
電気化学的電池を形成する方法であって、前記方法は、負電極層を薄層の第１面に接触させるステップ及び正電極層を薄層の第２面に接触させるステップを含み、薄層は第１面及びそれに対向する第２面を有し、そして、前記接触は負電極層における電解質溶液、正電極層における電解質溶液、及び薄層における電解質溶液に前記負電極と前記薄層の前記第１面との間の電解質層内に第１の界面セパレーター層を自己形成させかつ前記正電極と前記薄層の前記第２面との間の電解質層内に第２の界面セパレーター層を自己形成させる電気化学的電池を形成する方法。
【請求項８６】
第１及び第２界面セパレーターが薄層の第１及び第２面の両方で自己形成し、負電極層と正電極層の間に配置された単一の自己形成された界面セパレーター層へと一体化する請求項８５に記載の方法。
【請求項８７】
第１電解質溶液を含む負電極層；
第２電解質溶液を含む正電極層；
第１面およびそれに対向する第２面を有する薄層であって、前記薄層は前記負電極層と前記正電極層の間に差し挟まれ、前記薄層の前記第１面は前記負電極層に隣接し、前記薄層の前記第２面は前記正電極層に隣接する薄層；
前記負電極と前記薄層の前記第１面との間の電解質層内の一体化された第１界面セパレーター層；及び
前記正電極と前記薄層の前記第２面との間の電解質層内の一体化された第２界面セパレーター層；
を含む電気化学的電池であって、前記第１及び第２界面セパレーター層がその場で形成された電気化学的電池。
【請求項８８】
前記第１及び第２界面セパレーターが、負電極層と正電極層の間に配置された連続する界面セパレーター層を形成するように合併されている請求項８７に記載の電池。
【請求項８９】
電気化学的電池を形成する方法であって、前記方法は、負電極層と正電極層の間に薄層溶液を挿入するステップを含み、これにより薄層中の成分と、負電極層における電解質溶液中の成分と、正電極層における電解質溶液中の成分との間の相互作用及び／又は反応が界面セパレーター層を自己形成する電気化学電池を形成する方法。
【請求項９０】
界面セパレーター層がゲル又は沈殿物として自己形成する請求項８９に記載の方法。
【請求項９１】
前記薄層が水溶液である請求項８９に記載の方法。